(57)【要約】【課題】  利用者がゴミを投入しやすく底が低い位置であるが、ゴミを回収するときには、回収車のゴミ投入口の高さ近くに高くなり、しかも、排出口がゴミ投入口に向かって突き出るために、作業者の負担が著しく軽減される集積用ゴミ箱を提供する。【解決手段】  移動可能にキャスター付きの本体フレームに、ゴミ箱とゴミの排出時にそれを持ち上げる昇降装置とを搭載し、ゴミ箱には搬出時の高さで前方へ突出させ得るシューターを装着した。さらには、ゴミ箱の前部下端にシューターの反転軸を設け、ゴミ箱の上昇時に反転軸を中心にシューターを前方へ突出させ得るようにゴミ箱の前端に縦に収納し、ゴミ箱の下降時に同時に収納させる連動機構を設け、さらに、ゴミ箱の底部とシューターの底部との両方にわたってゴミの搬出装置をゴミ箱内のゴミを受け得るように配設し、シューターの前端部に搬出装置のハンドルによる駆動装置を具備してある。【選択図】    図７
2005041690.tif 000002
【特許請求の範囲】
【請求項１】
移動可能にキャスター付きの本体フレームに、ゴミ箱とゴミの排出時にそれを持ち上げる昇降装置とを搭載し、ゴミ箱には搬出時の高さで前方へ突出させ得るシューターを装着したことを特徴とする集積用ゴミ箱。
【請求項２】
ゴミ箱の前部下端にシューターの反転軸を設け、ゴミ箱の上昇時に反転軸を中心にシューターを前方へ突出させ得るようにゴミ箱の前端に縦に収納し、ゴミ箱の下降時に同時に収納させる連動機構を設け、さらに、ゴミ箱の底部とシューターの底部との両方にわたってゴミの搬出装置をゴミ箱内のゴミを受け得るように配設し、シューターの前端部に搬出装置のハンドルによる駆動装置を具備してあることを特徴とする請求項１記載の集積用ゴミ箱。
【請求項３】
ゴミ箱の前部下端にシューターの反転軸と底板の反転軸とを同軸として設け、ゴミ箱の上昇時に同軸を中心にシューターを前屈みに突出させ得るようにゴミ箱の前端に縦に収納し、ゴミ箱の上下動に伴ってシューターが出し入れされる連動機構を設ける一方、ゴミ箱の上下動に伴って底板がシューターと連続する傾斜と平たく復帰とをなす副連動機構を設けたことを特徴とする請求項１記載の集積用ゴミ箱。
【発明の詳細な説明】
【技術分野】
【０００１】
この発明は、町内、企業、官庁等で回収車が立ち寄るようなゴミ集積所に設置する集積用ゴミ箱に関する。
【背景技術】
【０００２】
集積用ゴミ箱は、一般的にステンレス板や鉄板等で組み立てられ、前面に後ろ傾斜に扉が取り付けられている箱型である。しかし、これでは場所を取るために、折畳み式のものも用いられる。それは、例えば、地面に立設される背板の両側端に、折畳みのための二つ折り可能な側板を取り付け、両側板の先端に矩形の口枠を保持し、口枠の中に二つ開き扉を装着したもので、口枠の下端にキャスターが取り付けられているから、口枠を手前に引いて二つ折りの両側板を延ばすことにより、箱型に展開した状態で扉が開閉される。
【０００３】
高さについては、箱型の場合であると、地面に沿って底板が設けられている。また、折畳み式の場合であると、展開された内部の地面が底であって、投入されたゴミは、その地面の上に積み重ねられる。つまり、従来の集積用ゴミ箱は、地面または地面すれすれの低い底板にゴミが積まれる形態であったので、ゴミの搬入には都合が良いけれども、扉を開いてゴミを取り出すときには、腰を屈める必要があり不都合であった。
【発明の開示】
【発明が解決しようとする課題】
【０００４】
回収車は、後ろにゴミの掻込み装置を有する投入口を有するが、従来の集積用ゴミ箱は、歩道の奥に設置されているので、腰を屈める反復動作と共に移動距離が長いことのために、作業性が悪いばかりでなく、重労働となるという問題がった。
【０００５】
この発明は、上記のような実情に鑑みて、利用者がゴミを投入しやすく底が低い位置であるが、ゴミを回収するときには、回収車のゴミ投入口の高さ近くに高くなり、しかも、排出口がゴミ投入口に向かって突き出るために、作業者の負担が著しく軽減される集積用ゴミ箱を提供することを目的とした。
【課題を解決するための手段】
【０００６】
上記の目的を達成するために、この発明は、移動可能にキャスター付きの本体フレームに、ゴミ箱とゴミの排出時にそれを持ち上げる昇降装置とを搭載し、ゴミ箱には搬出時の高さで前方へ突出させ得るシューターを装着したことを特徴とする集積用ゴミ箱を提供するものである。
【０００７】
集積用ゴミ箱を上記のように構成したから、ゴミの搬入時には（常時）、ゴミを投入しやすくゴミ箱を降下させた低い位置にしておく。そして、搬出時には近くに来た回収車のゴミ投入口に向けて移動させ、昇降装置によりゴミ箱を持ち上げてシューターをその投入口に向けて突き出すと、その反転軸の位置からシューターが高くなったゴミ箱の底部とほゞ面一の高さとなるので、ゴミを容易に投入口に搬出することができる。そして、搬出が終わったためにゴミ箱を下げるときには、通行の妨げにならないようにシューターを納めておく。
【発明の効果】
【０００８】
以上説明したように、この発明の集積用ゴミ箱によれば、利用者がゴミを投入しやすく底が低い位置であるが、ゴミ箱の昇降装置が搭載されているので、ゴミを回収するときには、回収車のゴミ投入口まで移動させてから、その投入口にシューターを向かわせた状態で、都合良くゴミを搬出しそのまま回収車に移し替え得るため、作業者の負担が著しく軽減され、回収作業も短縮されるという優れた効果がある。
【０００９】
加えて、シューターをゴミ箱に収納させる連動機構を設けたり、ゴミの搬出装置を設けると（請求項２）、ゴミの搬出作業がさらに容易となり好都合である。
【００１０】
さらに、ゴミ箱の前部下端にシューターの反転軸と底板の反転軸とを同軸として設け、ゴミ箱の上下動に伴ってシューターが出し入れされる連動機構を設ける一方、ゴミ箱の上下動に伴って底板がシューターと連続する傾斜と平たく復帰とをなす副連動機構を設けると、これによってもゴミの搬出作業が著しく容易となり好都合である。
【発明を実施するための最良の形態】
【００１１】
次に、この発明の実施の形態を図面に基づいて説明する。
【００１２】
図１ないし図４は一実施の形態を示したもので、その発明の集積用ゴミ箱は、矩形立法に枠組みされた本体フレーム１の中にゴミ箱３を上下動可能に搭載し、ゴミ箱３の前端に回収車のゴミ投入口へ臨ませるシューター５が内装される。さらに、本体フレーム１には、ゴミ箱３の昇降装置７が装備され、ゴミ箱３の上昇時にシューター５を前端から突出でき、下降にしたがって納まるように、連動機構８が設けられる。なお、ゴミ箱３の上端には蓋付きのゴミ搬入口９，９が設けられる。
【００１３】
本体フレーム１は、前端に固定キャスター１１，１１を、後端にブレーキ付きの自在キャスター１２，１２がそれぞれ左右一対ずつ取り付けられているので、回収時には後端の押手１４によりゴミ集積所から回収車のゴミ投入口にまで移動させ、前端をゴミ投入口に向けてその位置をブレーキで固定する。それから、昇降装置７を駆動させてゴミ箱３を持ち上げることにより、適切な高さでシューター５をゴミ投入口に向かわせてゴミを回収車のゴミ投入口に排出するようになっている。
【００１４】
昇降装置７は、本体フレーム１に固定される下部フレーム１１に対してリンク機構によりゴミ箱３と一体の上部フレーム１３を上下させるようにしたもので、図２および図３が上昇時を、図４が下降時を示す。その上下伸縮機構については、下部フレーム１１と上部フレーム１３との間に、Ｘ字形に枢着されたリンク１５，１６を左右一対において介在させ、左右両方が枢着軸２１の太心棒２０により連結される（図３）。また、左右が同時動作をするように、同図に示すように、外両リンク１６，１６が下端部で横材２２により連結される。
【００１５】
また、下部フレーム１１と上部フレーム１３との前端に両リンク１５，１６の固定軸１７，１７を設け、それぞれの後方にフリーローラ１８，１９が軸支されているが、左右上部フリーローラ１８，１８の一体軸１８ａにより内側リンク１５，１５が連結され、下部フリーローラ１９，１９の一体軸１９ａにより外側リンク１６，１６が連結される。
【００１６】
昇降の駆動には油圧シリンダー２３が用いられるが、上部フレーム１３の下降時（図２の二点鎖線、図４）には、その下に油圧シリンダー２３を伏せる必要があるために、心棒２０と連結横材２２とにそれぞれブラケット２０ａ，２２ａを突設し、油圧シリンダー２３がその両方に軸着される。２５が油圧ポンプ、２６がポンプペタルであって、ペタル操作により昇降装置７が上昇に作動する。２８が下降に転じさせるためのレリーズハンドルである。
【００１７】
シューター５は、ゴミ箱３の前部下端に反転軸３０により本体フレーム１に直立に支持されるが、突き出ると水平又は前傾斜若くは後傾斜となる。ゴミ箱３との連動機構８については、動滑車２７を介してワイヤー２９で吊り下げ状態に保持され、ゴミ箱３が上昇すると、それに伴って持ち上がり前に転倒可能となるが、前に突き出されてもワイヤー２９でその状態が保持されるように、動滑車２７から上がるワイヤー２９の一端３１が本体フレーム１の上端にピン３４で固定され、長い方の他端がゴミ箱３の下端にピン３６で固定され、本体フレーム１の上端部に２個の固定滑車３５，３５を軸支し、それにワイヤー２９が長い方で掛けられている。なお、このシューター５の底壁がそのまゝゴミ箱３の前側側壁の全面又は一部面を兼ねているように構成することができる。
【００１８】
また、シューター５の突出する先端部には、後で図７において説明する搬出装置６９の駆動装置３８を設けてある。３９がそのハンドルの取付軸であって、ハンドル操作によりゴミが搬出される。そして、搬出後にゴミ箱３を下降させると、ピン３６が下がることによりワイヤー２９が動滑車２７を引くために、ゴミ箱３の中にシューター５が反転軸３０を中心に回動して納められる。
【００１９】
図５および図６は別の実施の形態を示したもので、その集積用ゴミ箱は、本体フレーム１に底壁３ａの有するゴミ箱３を搭載し、それを上下させる昇降装置７が装備されるが、その昇降装置７は、ゴミ箱３と一体の昇降軸４１を両側のローラチェーン４３，４３に連結したもので、ローラチェーン４３，４３が上下のスプロケット４５，４６に掛かり、両ローラチェーン４３，４３の同時運動のために、下端の両スプロケット４６，４６が同一の連結軸４８に取り付けられる。
【００２０】
ローラチェーン４３，４３の駆動装置４４は、ハンドル操作によるもので、上部のスプロケット４５の駆動軸４７と平行に、ハンドル軸４９およびその従動軸５１を設け、ハンドル軸４９と従動軸５１との間に傘歯車５３，５３により直行軸５５を設け、直行軸５５と従動軸５１とをウオームギア５７，５９により直角に連結し、さらに、従動軸５１と駆動軸４７とにスプロケット６１，６３を取り付け、その間に駆動用ローラチェーン６５が掛けられている。したがって、ハンドル軸４９を回転すると、ウオームギア機構（５７，５９）と、スプロケット６１，６３の大小とにより、ゴミ箱３を上昇させる倍力機構が構成される。
【００２１】
図７は、ゴミ箱３の中のゴミをシューター５から搬出する搬出装置６９の一実施の形態を示したもので、図示しない本体フレーム（１）に対してゴミ箱３が図示しない昇降装置（７）により上下駆動され、ゴミ箱３の上昇によりシューター５が前に転倒して突出する。このことは先に述べた通りである。
【００２２】
搬出装置６９は、ベルト７０を多数のローラ７２，７２，・・によりゴミ箱３とシューター５との双方に支持したもので、ゴミ箱３の底部（底抜け）とシューター５の底部（底抜け）との両方にわたって配設されている。ベルト７０が、駆動装置３８による駆動ローラ７４と、ゴミ箱３の底部後端に有する自由ローラ７６に掛けられている。したがって、シューター５がゴミ箱３に納まった状態では、シューター５の底部が直立しているため、搬出装置６９がＬ字形に曲がっているが、ゴミ箱３が上昇すると、ゴミ箱３の底部とシューター５の底部とがほゞ面一に連続し、それに従ってベルト７０が水平になるので、ハンドル操作によりベルト７０を駆動することによりその上のゴミを排出することができる。
【００２３】
図８ないし図１１は、さらに別の実施形態による集積用ゴミ箱を示したものである。これも同じく、本体フレーム１にゴミ箱３が昇降装置７により上下動するように搭載されており、上昇時にゴミ箱３からシューター５が外へ前傾斜に突出するが（図９）、同時にゴミ箱３の底板７８がシューター５と同一連続傾斜に反転し（図１１）、下降時にはシューター５がゴミ箱３に納まると同時に（図８）、底板７８が水平に復帰するようになっている（図１０）。つまり、底板７８の副連動機構８０が加わっている。
【００２４】
シューター５と底板７８とは、同一傾斜面となり得るように同軸７７に直列に軸支され、その同軸７７がゴミ箱３の前端において底板７８の水平高さ位置に設けられる。全てを同時に図示することは複雑となるので、ゴミ箱３の上下動に伴うシューター５の連動機構８については、図８と図９において主に示し、図１０と図１１に残り部分を示す。また、底板７８の副連動機構８０は主として図１０と図１１において示すこととする。
【００２５】
ゴミ箱３の下降時点においてそれにシューター５が出口を上向きに納まっており（図８）、上昇時点には前傾斜に転倒する（図９）。また、この逆動作となるもので、このシューター５の連動機構８は、前記した実施形態と同様に主にワイヤー８１の張設によるものであるが、動作が緩慢なガススプリング８３の押す力（図８，図９）とそれを押し止めるロックレバー９３の運動（図１０，図１１）が関与している。まず、このシューター５の連動機構８について説明する。
【００２６】
ワイヤー８１の張設については、図８に示す如く、ゴミ箱３の下端部と本体フレーム１の上端部とにワイヤー８１の両端をそれぞれ止める固定ピン８５，８６が取り付けられ、本体フレーム１の上端部に固定滑車８７を、シューター５の上端部（同軸７７の対角位置）にはその同軸７７を中心として運行するよう動滑車８８が取り付けられる。そして、ワイヤー８１がゴミ箱３の固定ピン８５から固定滑車８７と動滑車８８に順次掛け本体フレーム１の固定ピン８６に止められる。
【００２７】
ゴミ箱３の下降時点では（図８）ワイヤー８１がシューター５を上向きに吊り上げて突っ張っている。これからゴミ箱３が上昇すると、それと一体の固定ピン８５と動滑車８８、シューター５が共に上昇し（図９）、ワイヤー８１に弛み８１ａが生じるが、上昇時点で、シューター５を止めているロックレバー９３によるロックが解除されて（図１０および図１１について後記する）、ガススプリング８３が伸長する弾力でその弛み８１ａが吸収されシューター５が転倒する。
【００２８】
逆に、ゴミ箱３が下降すると、それと一体の固定ピン８５が同時に下がって動滑車８８を引き上げてシューター５が上向きに起立し、同時にロックレバー９３にロックされて図８の状態となる。
【００２９】
ロックレバー９３によるシューター５のロックおよびその解除については、シューター５に同軸７７から離れた対角位置に掛止ピン９１が突設され、ゴミ箱３にはその掛止ピン９１に転倒しないように掛かるロックレバー９３がピン９５により枢着され、その基端にＬ字形の尾部９７が設けられ、本体フレーム１の上端には尾部９７が上昇時に掛かる対向ピン９９が突設される。
【００３０】
ロックレバー９３は、基端がコイルスプリング９８により常時持ち上げられて先端の逆止爪９４が上から掛止ピン９１に被さるように掛止されている。そこで、ゴミ箱３が上昇すると、上方に有する対向ピン９９に尾部９７が突き当たることにより先端の逆止爪９４が持ち上がって掛止ピン９１から外れるので、ガススプリング８３の弾力によりシューター５が前屈みに転倒する（図１１）。なお、対向ピン９９は尾部９７が突き当たらないように引き込めておくこともできる。この場合は、ロックレバー９３の先端にロック手動解除用のハンドル１０１が取り付けられている。
【００３１】
シューター５が前屈みに転倒した状態（図１１）から、ゴミ箱３が下降すると（図１０）、前記したワイヤー８１による連動機構８によりガススプリング８３の弾力に抗してシューター５が上向きに転じてゴミ箱３に納まるが、その際にロックレバー９３も対向ピン９９から外れることによりコイルスプリング９８の弾力で逆止爪９４が下がって掛止ピン９１がそれに引っ掛かる。逆止爪９４とはその引っ掛かりを誘導する形状をいう。
【００３２】
次に、底板７８の副連動機構８０について説明すると、それが軸支される同軸７７を中心にゴミ箱３の側板に円弧スリット１０３が形成され、底板７８にはその円弧スリット１０３に係合する軸を介して動滑車１０５が取り付けられ、ゴミ箱３の中途高さには固定滑車１０６が取り付けられる。また、ゴミ箱３の中途高さには上部ピン１０７が、本体フレーム１の下端には下部ピン１０９がそれぞれ取り付けられ、上部ピン１０７と下部ピン１０９とに両端が結合されたワイヤー１１１が動滑車１０５と固定滑車１０６とに交互に掛けられ、下部ピン１０９と固定滑車１０６との間に弛み１１１ａを有している（図１０）。
【００３３】
そこで、ゴミ箱３が上昇すると（図１１）、上部ピン１０７と固定滑車１０６とがゴミ箱３と共に上昇して弛み１１１ａが無くなると、ワイヤー１１１が突っ張ることにより動滑車１０５を持ち上がるため、それが円弧スリット１０３に沿って上がることにより同軸７７を中心に底板７８が反転して前傾斜となる。その角度がシューター５の前傾斜と同じであるので、底板７８の上のゴミがシューター５に移ってから排出される。
【００３４】
逆に、ゴミ箱３が下がると（図１０）、上部ピン１０７と固定滑車１０６とがゴミ箱３と共に下降して、ワイヤー１１１に弛み１１１ａが生じるまで、動滑車１０５が円弧スリット１０３に沿って下降することにより、底板７８が水平に復帰する。なお、底板７８は、シューター５と同一傾斜面となるように、ゴミ箱３に固定されていても良く、その場合は副連動機構８０は不要である。
【００３５】
（実施の形態の補足説明）
ゴミ箱３は、昇降装置７の駆動により上下させるが、昇降装置７については昇降させ得る機構であれば、油圧リフト、油圧シリンダー、油圧ジャッキ、スクリュウジャッキ、ローラーチェーン等を単独又は組み合わせたものというように、その構造は特に制限するものではなく、ゴミ箱３に投入されるゴミ容量（重量）によって選定される。
【００３６】
また、昇降させ得るならば、手動式、足踏式、電動（充電式を含む）式のいずれであっても良く、また、倍力機構を介する構造とすれば、確実に昇降させることができる。
【００３７】
搬出装置６９については、シューター５が突出する搬出口までゴミを移動させ得るものであれば良く、たとえば、コンベア方式、羽根が移動する方式等を挙げることができる。図７に記載のものがベルトコンベア方式である。ベルトの材質はゴミの種類により選定することができる。
【図面の簡単な説明】
【００３８】
【図１】この発明の一実施の形態を示す集積用ゴミ箱の正面図である。
【図２】この発明における集積用ゴミ箱に装備する昇降装置の一実施の形態を示す側面図である。
【図３】図２のＸ−Ｘ線矢視の断面図である。
【図４】図２のＹ−Ｙ背印矢視の断面図である。
【図５】この発明の他の実施の形態を示す集積用ゴミ箱の正面図である。
【図６】同集積用ゴミ箱を正面から見た断面図である。
【図７】この発明における集積用ゴミ箱に装備するシューターの連動機構を説明するゴミ箱の断面図である。
【図８】この発明の他の実施形態による集積用ゴミ箱について主にシューターの連動機構を示す正面図である。
【図９】図８の初期段階からシューターが突出した状態を示す同集積用ゴミ箱の正面図である。
【図１０】同集積用ゴミ箱について、シューターの連動機構の残り部分を示すととに、底板の副連動機構を示す正面図である。
【図１１】図１０の初期段階からシューターの突出と同時に底板が傾斜した状態を示す同集積用ゴミ箱の正面図である。
【符号の説明】
【００３９】
１  本体フレーム
３  ゴミ箱
５  シューター
７  昇降装置
８  連動機構
３０  反転軸
３８  駆動装置
４９  ハンドル軸
６９  搬出装置
７７  同軸
７８  底板
８０  副連動機構
【図１】
2005041690.tif 000003
【図２】
2005041690.tif 000004
【図３】
2005041690.tif 000005
【図４】
2005041690.tif 000006
【図５】
2005041690.tif 000007
【図６】
2005041690.tif 000008
【図７】
2005041690.tif 000009
【図８】
2005041690.tif 000010
【図９】
2005041690.tif 000011
【図１０】
2005041690.tif 000012
【図１１】
2005041690.tif 000013